(57)【要約】【課題】複数の映像信号を入力する送信器と、画面分割表示可能な受信器とを離れた場所に設置するシステムにおいて、最良の伝送効率で、最良の画質の画像表示を提供する。【解決手段】受信器２００の映像表示部２３１に、複数の映像を画面分割で表示するか、もしくは任意の映像を１画面で表示するかの選択によって、送信器１００の映像入力に対するそれぞれの圧縮比を制御することにより、最良の伝送効率で、最良の画質の画像表示を提供することができる。【選択図】図１
2014078779.tif 000002
【特許請求の範囲】
【請求項１】
受信器と、送信器とを備えた送受信システムであって、
前記受信器は、映像表示部と、前記映像表示部に複数の映像ソースの内の１つの映像ソースを１画面で表示するモード、若しくは、前記複数の映像ソースの内の任意の複数の映像ソースを１画面に画面分割して表示するモードを選択制御部からの指示に従って選択する選択手段と、前記選択制御部から指示される選択情報に基づいて前記複数の映像ソースの圧縮比を規定する圧縮比制御信号を生成する圧縮比制御信号生成部と、前記圧縮比制御信号生成部により生成された圧縮比制御信号を送信する送受信部と、を備え、
前記送信器は、複数の映像ソースを入力するための複数の端子と、前記複数の端子にそれぞれ入力された映像ソースを圧縮する圧縮部と、前記各圧縮部により圧縮された映像ソースを時分割多重する多重化部と、前記多重化部により多重化された映像ソースを送信する送受信部と、前記受信器から送信された前記圧縮比制御信号を受信する受信部と、前記受信部で受信された前記圧縮比制御信号に基づいて前記各圧縮部の圧縮比を制御する圧縮比制御部と、を備えた送受信システム。
【請求項２】
選択手段が、１つの映像ソースを１画面で表示するモードを選択した場合、圧縮比制御信号生成部は、前記１つの映像ソースの圧縮比を他の映像ソースの圧縮比よりも下げることを特徴とする請求項１記載の送受信システム。
【請求項３】
選択手段が、任意の複数の映像ソースを１画面に画面分割して表示する、モードを選択した場合、前記圧縮比制御信号生成部は、前記任意の複数映像ソースの圧縮比を均等にし、他の映像ソースの圧縮比よりも下げることを特徴とする請求項１記載の送受信システム。
【発明の詳細な説明】
【技術分野】
【０００１】
本開示は、複数の映像入力に対して画面分割で映像表示を行う、若しくは任意の映像入力を選択し映像表示を行うマルチ入出力のディスプレイ装置であって、映像入力部と映像表示部が２つの機器に分離されるシステムにおいて、前記２つ機器の間を伝送路で送受信を可能にする映像信号の送受信システムに関する。
【背景技術】
【０００２】
近年のディスプレイ機器は、数多くの映像入力が可能になっており、任意の１つの映像入力を選択し表示するだけでなく、複数の映像入力を画面分割して同時に表示する機能が搭載されている。
【０００３】
特許文献１は、圧縮技術を使用して、一つに保存されたマルチチャンネル映像を同時に同一画面上に再生表示する一方で、好みの特定チャンネルの映像を拡大表示することも可能な多重映像再生装置を開示している。前記再生装置は、一つのコンテンツに圧縮記録された複数のマルチチャンネルの映像をそれぞれ解凍し、前記映像を同期して圧縮重畳することにより、１つの画面上に画面分割して同時に複数チャンネルの映像を表示することを可能にし、一方で特定のチャンネルを拡大表示する場合は、特定チャンネルの圧縮率を１／１とし、その他の圧縮率を１／無限大とすることにより可能にしている。
【０００４】
一方で、例えばプロジェクターに代表されるようなディスプレイ機器においては、設置の制約のため部屋の天井にプロジェクターを吊るすことが良くある。映像ソースを手元で操作制御することを可能にし、複数の映像ソースを手元で繋ぎ換えることも可能にするため、映像入力部を別の機器としてディスプレイ装置から分離し、映像入力と切り換えを行う機器として、ディスプレイから遠く離れた場所に配置することが可能な機器が存在する。これら２つの機器について、以後、ディスプレイ装置側は受信器と呼び、映像入力側の機器は送信器と呼ぶ。これら送信器と受信器の間の信号伝送は、その伝送仕様によって伝送容量に限度があり、その限度を超えると伝送品質が劣化することが一般的に知られている。
【０００５】
特許文献２は、無線を利用した送信装置と受信装置との間の伝送の制御方法を開示している。この装置は、無線の伝送品質が時間と共に変化する環境の下で、受信器側での受信品質に基づき、送信器側の符号化率と変調方式を制御する方法を備える。これにより、動的に変化する伝送路の品質に適応して、送信装置から受信装置へ伝送する信号の伝送方法を最適に制御することができるようになる。
【先行技術文献】
【特許文献】
【０００６】
【特許文献１】特開平１１−６９３０２号公報
【特許文献２】国際公開第０３／０２１８５５号
【発明の概要】
【発明が解決しようとする課題】
【０００７】
本開示は、送信器と受信器の２つの機器に分離する構成において、受信器側の画面分割表示の選択によって、送信器側の映像の圧縮比を制御するしくみにより、伝送路を最良の伝送効率で送受信が可能であり、最良の画質で映像表示が可能になるシステムを提供する。
【課題を解決するための手段】
【０００８】
本開示における送受信システムは、複数の映像入力が可能な送信器と、映像表示が可能な受信器と、前記送信器と前記受信器の間のデータを送受信する伝送路から構成され、送信器は複数の映像入力に対して受信器からの制御によりそれぞれの映像信号に圧縮を行う手段と、その圧縮した映像信号を時分割で多重する手段と、多重化した信号を伝送路に送出する手段を備え、受信器は伝送路から受信した信号を多重化信号に復調する手段と、多重化信号を複数の圧縮映像信号に戻す手段と、画面分割表示か若しくは選択表示かの選択情報により映像表示に画面分割で表示する手段、若しくは１画面に選択した映像を表示する手段と、前期選択情報から送信器側でそれぞれの映像信号を圧縮する比率を制御するための制御信号を生成する手段を備える。
【発明の効果】
【０００９】
以上のように本開示における送受信システムは、送信器と受信器の２つの機器に分離する構成において、送信器と受信器の間は最良の伝送容量で伝送を可能にすることに有効である。
【図面の簡単な説明】
【００１０】
【図１】本開示の実施の形態の映像送受信システムの概略構成図
【図２】４画面表示を選択した場合の映像表示の一例を示す図
【図３】２画面表示を選択した場合の映像表示の一例を示す図
【図４】１画面表示を選択した場合の映像表示の一例を示す図
【図５】４画面表示を選択した場合の圧縮比制御テーブルの一例を示す図
【図６】２画面表示を選択した場合の圧縮比制御テーブルの一例を示す図
【図７】１画面表示を選択した場合の圧縮比制御テーブルの一例を示す図
【発明を実施するための形態】
【００１１】
以下、本開示の実施形態について図面を参照しながら説明する。
【００１２】
図１に本開示の実施の形態である送受信システムの概略構成図を示す。
【００１３】
図１において、１００は送信器、２００は受信器、３００は伝送路を示す。本開示の送受信システムは、複数の映像入力と切り換え圧縮を行う送信器１００と、映像表示部２３１を備え映像表示装置として機能する受信器２００と、前記送信器１００と前記受信器２００との間の双方向データを送受信する伝送路３００から構成される。
【００１４】
受信器２００は、例えば天井に吊られたビデオプロジェクターやディスプレイ装置である。一方、映像表示の元になる映像ソース１０１、１０２、１０３、１０４は操作者が扱い易いように、例えば操作室など別室に配置することが多く、前記映像ソースに接続する送信器１００も映像ソースと同じ場所に配置することが多い。この配置の制約のため、前記送信器１００と前記受信器２００は、遠く離れた場所に配置することになり、伝送路３００は遠方に離れた双方の機器を繋ぐ。
【００１５】
送信器１００は、複数の映像ソースからの映像信号を入力することが可能な切り換え圧縮多重機能を有する送信器である。説明を簡単にするため、入力する映像ソースは４つと仮定して、図１に図示して説明をする。
【００１６】
映像ソース１０１から入力された映像信号は、圧縮部１１１に送られる。圧縮部１１１は圧縮比制御部１４１からの制御信号によって、ある指示された圧縮比によって信号を圧縮する。圧縮の方法は、例えば信号の間引きなどが挙げられるが、圧縮の方式はここでは問わない。前記の圧縮された映像信号は時分割多重化部１２１に送られる。同様に、映像ソース１０２、１０３、１０４も同様の方法によって圧縮部１１２、１１３、１１４で圧縮され、圧縮されたそれぞれの映像信号が、時分割多重化部１２１に入力される。時分割多重化部１２１では、４つの圧縮された映像信号を、時分割で１つの映像信号に多重化する。前記多重化された映像信号は、送受信部１３１に送られ、送信信号に変換される。
【００１７】
前記送信信号は、伝送路３００を通して、受信器２００の送受信部２０１に送られる。ここで、送受信部１３１と送受信部２０１は双方向にデータを通信することが可能な通信方法を想定しており、例えば、ＩＥＥＥ８０２．３の規格の１０００Ｂａｓｅ−Ｔ、１０ＧＢａｓｅ−Ｔなどである。
【００１８】
送受信部２０１で受信した信号は、元の多重化された映像信号に復調され、分割部２１１に送られる。前記多重化された映像信号は、分割部２１１で元の４つの圧縮された映像信号に復調され、映像作成部２２１へ送られる。ここで、１つの多重化された映像信号を分割部２１１で４つの映像信号に復調する方法は、時分割多重化部１２１で４つの映像信号を１つの圧縮された映像信号に変調する方法と全くの逆の動作になる。
【００１９】
選択制御部２４２は、映像表示部２３１に４画面表示をするか、２画面表示をするか、１画面表示をするかを選択する機能を有する。
【００２０】
選択制御部２４２で、４画面表示を選択した場合について動作を説明する。選択制御部２４２で選択された制御信号は、一つは映像作成部２２１に送られ、前記映像作成部２２１に入力された４つの圧縮信号を、１つの画面に表示できるように映像信号を作り変え、映像表示部２３１に送られる。映像表示部２３１は、画面を４分割して、前記４つの映像を同時表示する。例えば、図２に示すように、４画面表示を選択した場合の映像表示の一例を示す。図２は判りやすく説明するため、一例として縦横方向を２等分して４分割表示を示したが、４つの映像を１画面のどの場所に、どの程度の大きさで、どの順番で表示するかは表示装置の仕様によって適宜決められる。
【００２１】
選択制御部２４２で選択された制御信号の他方は、圧縮比制御信号生成部２４１に送られ、図５の圧縮比制御テーブルに従って４つの圧縮比の制御データとして送受信部２０１に送られる。前記制御データは双方向の伝送路３００で通信可能なデータ信号に変換され、伝送路３００を通じて送信器１００の送受信部１３１に送られる。前記データ信号は、送受信部１３１で元の制御データに復調され、圧縮比制御部１４１に送られる。前記制御データは、圧縮比制御部１４１で、各圧縮部１１１、１１２、１１３、１１４のそれぞれに対応した圧縮比データに作り変え送信する。それぞれの前記圧縮部１１１、１１２、１１３、１１４は、前記圧縮データに基づいて、映像信号の圧縮を行う。
【００２２】
以上のように、４画面分割表示を選択した場合に、受信器２００の機器側で４画面分割表示を選択した情報を送信器１００に送り、送信器側で４つの映像信号を圧縮、多重を行い、その圧縮多重化された映像信号を受信器２００に送信し、分割された４画面に４つの映像ソースの映像を映し出すようにしている。
【００２３】
更に、図５の圧縮比制御テーブルに基づいて圧縮比を決定するが、図５では４つの圧縮比を１／ａとし、圧縮比が均等になるように設定している。他に制約される条件が無ければａ＝４とするのが最適の値で、均等に１／４ずつ圧縮設定することにより、映像信号を送受する通信帯域を最も効率良く利用することが可能になる。ここでａの値は４に限らず、制約される条件を満たす限り、他の値でも構わない。
【００２４】
選択制御部２４２で、２画面表示を選択した場合について動作を説明する。選択制御部２４２で選択された制御信号は、一つは映像作成部２２１に送られ、前記映像作成部２２１に入力された４つの圧縮信号のうち、２つの圧縮信号を選択し、１つの画面に表示できるように映像信号を作り変え、映像表示部２３１に送られる。映像表示部２３１は、画面を２分割して、前記選択された２つの映像を同時表示する。例えば、図３に示すように、２画面表示を選択した場合の映像表示の一例を示す。図３は判りやすく説明するため、一例として横方向を２等分して２分割表示を示したが、２つの映像を１画面のどの場所に、どの大きさで、どの順番で表示するかは表示装置の仕様によって適宜決められる。
【００２５】
選択制御部２４２で選択された制御信号の他方は、圧縮比制御信号生成部２４１に送られ、図６の圧縮比制御テーブルに従って４つの圧縮比の制御データとして送受信部２０１に送られる。前記制御データは双方向の伝送路３００で通信可能なデータ信号に変換され、伝送路３００を通じて送信器１００の送受信部１３１に送られる。前記データ信号は、送受信部１３１で元の制御データに復調され、圧縮比制御部１４１に送られる。前記制御データは、圧縮比制御部１４１で、各圧縮部１１１、１１２、１１３、１１４のそれぞれに対応した圧縮比データに作り変え送信する。それぞれの前記圧縮部１１１、１１２、１１３、１１４は、前記圧縮データに基づいて、映像信号の圧縮を行う。
【００２６】
以上のように、２画面分割表示を選択した場合に、受信器２００の機器側で２画面分割表示を選択した情報を送信器１００に送り、送信器側で４つの映像信号を圧縮、多重を行い、その圧縮多重化された映像信号を受信器２００に送信し、分割された２画面に２つの映像ソースの映像を映し出すようにしている。
【００２７】
更に、図６の圧縮比制御テーブルに基づいて圧縮比を決定するが、図６では選択された２つの圧縮比を１／ｂとし、選択されない２つの圧縮比を１／（ｂ＋ｘ）としている。選択された圧縮比は、選択されない圧縮比に対して小さくなるように設定することにより、選択された映像信号が可能な限り圧縮がかからなくなり、可能な範囲での綺麗な映像表示を提供することができる。他に制約される条件が無ければｂ＝２且つｘ＝∞とするのが最適の値で、選択された圧縮比は均等に１／２を設定し、選択されない圧縮比は１／∞を設定することにより、映像信号を送受する通信帯域を最も効率良く利用することが可能になる。ここでｂの値は２に限らず、制約される条件を満たす限り、他の値でも問題はない。同様にｘの値も∞に限らず、制約される条件を満たす限り、他の値でも構わない。
【００２８】
選択制御部２４２で、１画面表示を選択した場合について動作を説明する。選択制御部２４２で選択された制御信号は、一つは映像作成部２２１に送られ、前記映像作成部２２１に入力された４つの圧縮信号のうち、１つの圧縮信号を選択し、１つの画面に表示できるように映像信号を作り変え、映像表示部２３１に送られる。映像表示部２３１は、画面上に前記選択された１つの映像を表示する。例えば、図４に示すように、１画面表示を選択した場合の映像表示の一例を示す。図４は判りやすく説明するため、一例として画面全体に映像表示を示したが、１つの映像を１画面のどの場所に、どの大きさで表示するかは表示装置の仕様によって適宜決められる。
【００２９】
選択制御部２４２で選択された制御信号の他方は、圧縮比制御信号生成部２４１に送られ、図７の圧縮比制御テーブルに従って４つの圧縮比の制御データとして送受信部２０１に送られる。前記制御データは双方向の伝送路３００で通信可能なデータ信号に変換され、伝送路３００を通じて送信器１００の送受信部１３１に送られる。前記データ信号は、送受信部１３１で元の制御データに復調され、圧縮比制御部１４１に送られる。前記制御データは、圧縮比制御部１４１で、各圧縮部１１１、１１２、１１３、１１４のそれぞれに対応した圧縮比データに作り変え送信する。それぞれの前記圧縮部１１１、１１２、１１３、１１４は、前記圧縮データに基づいて、映像信号の圧縮を行う。
【００３０】
以上のように、１画面分割表示を選択した場合に、受信器２００の機器側で１画面分割表示を選択した情報を送信器１００に送り、送信器側で４つの映像信号を圧縮、多重を行い、その圧縮多重化された映像信号を受信器２００に送信し、表示画面に１つの映像ソースの映像を映し出すことを特徴としている。
【００３１】
更に、図７の圧縮比制御テーブルに基づいて圧縮比を決定するが、図７では選択された１つの圧縮比を１／ｃとし、選択されない３つの圧縮比を１／（ｃ＋ｙ）としている。選択された圧縮比は、選択されない圧縮比に対して小さくなるように設定することにより、選択された映像信号が可能な限り圧縮がかからなくなり、可能な範囲での綺麗な映像表示を提供することができる。他に制約される条件が無ければｃ＝１且つｙ＝∞とするのが最適の値で、選択された圧縮比は１／１を設定し、選択されない圧縮比は１／∞を設定することにより、映像信号を送受する通信帯域を最も効率良く利用することが可能になる。ここでｃの値は１に限らず、制約される条件を満たす限り、他の値でも構わない。同様にｙの値も∞に限らず、制約される条件を満たす限り、他の値でも構わない。
【００３２】
以上の本開示の送受信システムは、上述のような構成及び動作を特徴に持つシステムであり、映像ソース側に設置される送信器と、ディスプレイ装置の機能を持った受信器が、それぞれ離れた場所に設置される場合に、受信器側の画面分割表示の選択によって、送信器側のそれぞれの映像信号の圧縮比を制御するしくみにより、最良の伝送効率で、最良の画質の映像表示を提供することができる。
【００３３】
なお、送信器１００の送受信部１３１と、受信器２００の送受信部２０１との間の双方向にデータ通信する方法を、ＩＥＥＥ８０２．３の規格を例に述べたが、双方向にデータの送受信が可能な通信規格であれば、これに限ったものでは無い。例えば、インサーネット（登録商標）だけでなく、光通信、同軸通信、更に有線による通信に限らず無線による通信でも可能である。
【００３４】
また、映像表示部２３１に表示する画面分割の数を、４つ、２つ、１つを例に述べたが、これはいくつの数でも構わない。その数の分の圧縮機能と、切り替え機能と、画面分割の機能を用意すれば容易に実現が可能である。
【００３５】
また、送信器１００に入力する映像ソースの数を４つとして説明したが、映像ソースは複数であればいくつの映像ソースがあっても構わない。複数の映像ソースの数量に併せて、送信器１００の入力の数量も同じ数量を用意し、同じ数量の圧縮部も用意し、分割部２１１の分割する数量も同じだけ用意すれば実現が可能で、容易に応用ができる。
【００３６】
また、受信器２００に映像表示部２３１を内蔵する形態で説明したが、映像表示部２３１を受信器２００から分離して構成しても、同じ効果を得ることができる。
【産業上の利用可能性】
【００３７】
本開示は、複数の映像入力に対して画面分割で映像表示行うディスプレイ装置において、映像入力部と映像表示部が２つの機器に分離されるシステムに適応可能である。具体的には、映像入力を別機器として分離したビデオプロジェクター、ディスプレイ装置などに、本開示は適用可能である。
【符号の説明】
【００３８】
１００  送信器
１０１,１０２,１０３,１０４  映像ソース
１１１,１１２,１１３,１１４  圧縮部
１２１  時分割多重化部
１３１  送受信部
１４１  圧縮比制御部
２００  受信器
２０１  送受信部
２１１  分割部
２２１  映像作成部
２３１  映像表示部
２４１  圧縮比制御信号生成部
２４２  選択制御部
３００  伝送路
【図１】
2014078779.tif 000003
【図２】
2014078779.tif 000004
【図３】
2014078779.tif 000005
【図４】
2014078779.tif 000006
【図５】
2014078779.tif 000007
【図６】
2014078779.tif 000008
【図７】
2014078779.tif 000009